(57)【要約】【課題】浴槽(20)内に臨む洗浄ノズル(51)から洗剤液を噴射させる機能を具備する洗浄ユニット(3)を、浴槽側壁(21)の外周域に配置させた状態に取り付ける構造に於いて、前記浴槽(20)に専用の取付孔を形成することなく洗浄ユニット(3)を取り付けられるようにする。 【解決手段】熱源機(10)で加熱された温水を浴槽に吐出させる為の浴槽金具(5)を、浴槽側壁(21)に開設された金具取付孔(210)に貫通状態でネジ締めして固定する。浴槽金具(5)の金具取付孔(210)から浴槽外に突出した部分に洗浄ユニット(3)を取り付けるか、又は、浴槽金具(5)におけるネジ締めするネジで、浴槽側壁(21)に(5)浴槽金具と共締めされる支持体(37)を設け、この支持体(37)に洗浄ユニット(3)を取り付ける。【選択図】図４
2010264288.tif 000002
【特許請求の範囲】
【請求項１】
浴槽内に臨む洗浄ノズルから洗剤液を噴射させる機能を具備する洗浄ユニットを、浴槽側壁の外周域に配置させた状態に取り付ける構造に於いて、
熱源機で加熱された温水を浴槽に吐出させる為の浴槽金具を、前記浴槽側壁に開設された金具取付孔に貫通状態で固定し、
前記浴槽金具の前記金具取付孔から浴槽外に突出した部分に前記洗浄ユニットを取り付け、
前記洗浄ユニットから前記洗浄ノズルに洗剤液を供給する洗浄配管を設ける、洗浄ユニット取付構造。
【請求項２】
浴槽内に臨む洗浄ノズルから洗剤液を噴射させる機能を具備する洗浄ユニットを、浴槽側壁の外周域に配置させた状態に取り付ける構造に於いて、
熱源機で加熱された温水を浴槽に吐出させる為の浴槽金具を、前記浴槽側壁に開設された金具取付孔に貫通状態でネジ締めして固定し、
前記ネジ締めするネジで、前記浴槽側壁と前記浴槽金具とで挟圧されるように前記浴槽側壁に前記浴槽金具と共締めされる支持体を設け、
前記支持体に前記洗浄ユニットを取り付け、
前記洗浄ユニットから前記洗浄ノズルに洗剤液を供給する洗浄配管を設ける、洗浄ユニット取付構造。
【発明の詳細な説明】
【技術分野】
【０００１】
本発明は、浴槽を自動洗浄する洗浄ユニットの浴槽への取付構造に関する。
【背景技術】
【０００２】
浴槽の内壁面に付着した湯垢等の汚れを自動的に洗浄する洗浄ユニットを備えた風呂システムが特許文献１に開示されている。
このものは、図５に示すように、浴槽底壁(93)に設けられた洗浄ノズル(94)に繋がる洗浄配管(95)には、通水弁(99)とその下流側に位置する洗剤混合管(97)が設けられている。洗剤原液(A)を貯留する洗剤タンク(90)から洗剤混合管(97)に繋がる洗剤供給管(80)には洗剤弁(96)が配設されている。洗剤弁(96)と洗剤混合管(97)と通水弁(99)はケーシング(81)に収納されて洗浄ユニット(98)が構成されている。
【０００３】
浴槽洗浄時には、予備すすぎと、洗剤洗浄及び、仕上げすすぎがこの順序で実行される。
予備すすぎの工程では、洗浄ユニット(98)の洗剤弁(96)を閉じることにより、洗剤供給管(80)から洗浄配管(95)への洗剤供給を遮断した状態で、通水弁(99)を開き、洗浄配管(95)の通水を洗浄ノズル(94)から浴槽(92)内面に噴射する。
【０００４】
洗剤洗浄の工程では、洗剤弁(96)を開くことにより、洗剤タンク(90)内の洗剤原液(A)を洗剤供給管(80)から洗剤混合管(97)に供給すると共に、通水弁(99)を開く。すると、洗剤供給管(80)からの洗剤原液(A)と洗浄配管(95)の通水が混合されて洗剤液となり、これが洗浄ノズル(94)から浴槽(92)内面に噴射され、その後、所定時間待機される。
仕上げすすぎの工程では、予備すすぎの工程と同様に、洗浄配管(95)の通水を洗浄ノズル(94)から浴槽(92)内面に噴射して洗剤液を洗い流す。
これにより、浴槽(92)の自動洗浄が完了する。
【先行技術文献】
【特許文献】
【０００５】
【特許文献１】特開平１０−２３４６４５号公報
【発明の概要】
【発明が解決しようとする課題】
【０００６】
文献１には、浴槽側壁(83)の洗い場側に面する浴槽フランジ(82)の裏面側に補助取付板が固定され、この補助取付板に洗浄ユニット(98)が取り付けられる構成を示す記載がある（文献１の段落［００２８］）。
文献１には、洗浄ユニット(98)用の補助取付板を浴槽(92)に固定する具体的構造は明記されていないが、洗浄ユニット(98)用の補助取付板を浴槽(92)に強固に固定する為に、次の構造を採用することが考えられる。即ち、浴槽側壁(83)やその上端外周の浴槽フランジ(82)に専用の取付孔を開設し、該取付孔に挿通させた固定ネジで補助取付板を前記浴槽側壁(83)や浴槽フランジ(82)に固定する。そして、この補助取付板に洗浄ユニット(98)を取り付けるのである。
【０００７】
ところが、かかる構成にすると、補助取付板を浴槽(92)に取り付ける為の専用の取付孔が必要となる分、取付作業が煩雑化するという問題があった。又、専用の取付孔や固定ネジの頭部が浴槽(92)の表面に露出するから見苦しくなるという問題もあった。
本発明は、かかる点に鑑みて成されたもので、
『浴槽内に臨む洗浄ノズルから洗剤液を噴射させる機能を具備する洗浄ユニットを、浴槽側壁の外周域に配置させた状態に取り付ける構造』に於いて、前記浴槽に専用の取付孔を形成することなく洗浄ユニットを取り付けられるようにし、これにより、洗浄ユニットの取付時の作業性の向上を図ると共に、専用の取付孔や固定ネジの頭部が浴槽の表面に露出するのを防止して外観が損なわれないようにすることを課題とする。
【課題を解決するための手段】
【０００８】
［請求項１に係る発明］
上記課題を解決する為の請求項１に係る発明の解決手段は、
『熱源機で加熱された温水を浴槽に吐出させる為の浴槽金具を、前記浴槽側壁に開設された金具取付孔に貫通状態で固定し、
前記浴槽金具の前記金具取付孔から浴槽外に突出した部分に前記洗浄ユニットを取り付け、
前記洗浄ユニットから前記洗浄ノズルに洗剤液を供給する洗浄配管を設ける』ことである。
このものでは、浴槽側壁に開設された金具取付孔に浴槽金具を貫通状態で固定する。そして、前記浴槽金具の前記金具取付孔から浴槽外に突出した部分に洗浄ユニットを固定する。これにより、洗浄ユニットを取り付ける為の専用の取付孔を浴槽に形成する必要がなくなる。
なお、請求項１及び以下の請求項２に係る発明では、適宜場所に配設された洗剤タンクと前記洗浄ユニットを洗剤供給配管で接続して使用するものとする。
【０００９】
［請求項２に係る発明］
上記課題を解決する為の請求項２に係る発明の解決手段は、
『熱源機で加熱された温水を浴槽に吐出させる為の浴槽金具を、前記浴槽側壁に開設された金具取付孔に貫通状態でネジ締めして固定し、
前記ネジ締めするネジで、前記浴槽側壁と前記浴槽金具とで挟圧されるように、前記浴槽側壁に前記浴槽金具と共締めされる支持体を設け、
前記支持体に前記洗浄ユニットを取り付け、
前記洗浄ユニットから前記洗浄ノズルに洗剤液を供給する洗浄配管を設ける』ことである。
このものでは、浴槽側壁に開設された金具取付孔に浴槽金具を貫通状態にネジ締め固定する。そして、前記ネジ締めするネジを利用し、浴槽側壁に浴槽金具と支持体を共締めしたうえで、該支持具に洗浄ユニットを取り付ける。これにより、洗浄ユニットを取り付ける為の専用の取付孔を浴槽に形成する必要がなくなる。
【発明の効果】
【００１０】
本発明は次の特有の効果を有する。
何れの請求項に係る発明でも、洗浄ユニットを取り付ける為の専用の取付孔を浴槽に形成する必要がないから、その分、洗浄ユニットの取付時の作業性向上が図れる。又、前記専用の取付孔を浴槽側壁に開設する場合は、入浴水が浴槽外へ漏出するのを防止する為の防水構造を前記取付孔の開設部に施す必要があり、洗浄ユニットの取付作業が更に煩雑化するが、本発明では洗浄ユニットの取付孔を浴槽側壁に形成する必要がないから、洗浄ユニットの取付部に前記防水構造を施す必要がなく、かかる点からも、洗浄ユニットの取付時の作業性が向上する。
又、専用の取付孔や固定ネジの頭部が浴槽の表面に露出しないから、浴槽の外観が損なわれない。
【図面の簡単な説明】
【００１１】
【図１】本発明の実施形態を説明する風呂システムの概略図
【図２】本発明の実施形態の風呂システムの動作を説明するフローチャート
【図３】本実施形態に於ける洗浄ユニット(3)の取付構造の説明図
【図４】本実施形態に於ける浴槽金具(5)の取付部の断面図
【図５】従来例の説明図
【発明を実施するための形態】
【００１２】
以下に、本発明を実施する為の最良の形態について添付図面を参照しながら説明する。
本実施形態は、請求項２の発明に対応する。
《全体構成》
図１は第１実施形態に係る洗浄ユニット取付構造を適用した風呂システムの概略説明図であり、温水を加熱生成する熱源機(10)と、浴槽(20)と、洗浄ユニット(3)と、洗剤タンク(7)とを備える。
熱源機(10)からは、浴槽(20)内を追焚きするための往き管(12)及び戻り管(13)が引き出されており、該往き管(12)及び戻り管(13)により、浴槽側壁(21)に取り付けられた浴槽金具(5)と熱源機(10)内の図示しない熱交換器（ガスバーナで加熱される）が接続されて全体として追焚用循環回路が形成されている。そして、浴槽(20)内を追焚きする時には、前記ガスバーナが燃焼すると共に熱源機(10)内の循環ポンプ（図示せず）が作動することで、浴槽(20)内の入浴水が、浴槽金具(5)→戻り管(13)→熱源機(10)内の熱交換器や循環ポンプ等→往き管(12)→浴槽金具(5)の経路で循環しながら加熱昇温される。又、熱源機(10)からは洗浄ユニット(3)に接続される出湯管(11)が引き出されている。
以下各部の詳細を説明する。
【００１３】
《洗剤タンク(7)》
洗剤タンク(7)は浴槽(20)の上端外周に張出す浴槽フランジ(22)に取り付けられていると共に、該洗剤タンク(7)の底壁から引き出された洗剤供給管(70)は、後述する洗浄ユニット(3)に組み込まれた洗剤弁(69)に繋げられようになっている。
図３は、洗剤タンク(7)の取り付け部の構造を示している。
洗剤タンク(7)は、洗剤原液を貯留するタンク本体(73)と、該タンク本体(73)から上向きに突設された洗剤補給筒(74)を備えている。洗剤補給筒(74)の上端は、浴槽フランジ(22)に開設されたタンク取付孔(220)に挿入状態で接続されており、洗剤補給筒(74)に螺入されたタンク固定筒(75)の外周フランジ(76)と洗剤補給筒(74)の外周フランジ(77)によって浴槽フランジ(22)が上下から挟圧され、これにより、洗剤タンク(7)が浴槽フランジ(22)に取り付けられている。又、タンク固定筒(75)の上端には洗剤補給用のキャップ(78)が着脱自在に螺合されており、キャップ(78)を取り外して洗剤補給筒(74)に上方から洗剤原液(A)を流し込んだ後にキャップ(78)を洗剤補給筒(74)に再び螺合装着することにより、洗剤の補給が行なえる。
【００１４】
《洗浄ユニット(3)》
図１に示すように、洗浄ユニット(3)は、弁装置(60)と、該弁装置(60)の下流側に設けられた銀イオン発生装置(63)と、前記洗剤タンク(7)の底壁から延びる洗剤供給管(70)に接続される洗剤弁(69)と、これら洗剤弁(69)等を制御する洗浄ユニット制御装置(33)を備えている。又、洗剤弁(69)の下流側は、前記銀イオン発生装置(63)から浴槽(20)側の洗浄ノズル(51)に繋がる洗浄配管(62)に設けられたベンチュリー構造の洗剤混合管(72)に接続されるようになっている。
【００１５】
弁装置(60)には、上流側から、水量制御弁(61)、流量センサ(64)、開閉弁(65)、大気開放弁(66)、逆流防止弁(67)がこの順序で配設されている。前記水量制御弁(61)には熱源機(10)から引き出された出湯管(11)が接続されると共に、水量制御弁(61)はステッピングモータ等により弁開度が調節できるようになっている。尚、大気開放弁(66)は、熱源機(10)内の給水配管が負圧状態に陥ったときに大気開放させるための弁である。
【００１６】
弁装置(60)等を収納する洗浄ユニット(3)のユニットケース(30)は防水構造になっていると共に、図３に示すように、浴槽側壁(21)に対して後述する浴槽金具(5)と共締めされた支持体としての支持板(37)に取り付けられている。
又、洗剤タンク(7)の底壁から延びる洗剤供給管(70)は、ユニットケース(30)内の洗剤弁(69)に繋がっている。そして、洗剤混合管(72)の下流側の洗浄配管(62)は浴槽側壁(21)に配設された浴槽金具(5)に設けられた洗浄ノズル(51)に繋がっている。
【００１７】
《浴槽金具(5)》
浴槽金具(5)は図４に示す構造で、浴槽側壁(21)を挟圧する金具本体(52)及び締付筒(53)と、徐塵フィルタ(540)を金具本体(52)に装着固定する為のフィルタカバー(54)を具備している。
金具本体(52)は、浴槽側壁(21)の内面側に位置する扁平な中空円筒部(520)と同心の中央筒(521)と、浴槽側壁(21)に開設された金具取付孔(210)を貫通し且つ外周に雄ネジが刻設されたネジ筒(522)を具備しており、中空円筒部(520)の先端開放部は徐塵フィルタ(540)がフィルタカバー(54)で覆われた状態に固定されている。
【００１８】
締付筒(53)の内周には、金具本体(52)のネジ筒(522)に螺合される雌ネジが刻設されていると共に、金具本体(52)側の端部外周には締付フランジ(530)が張出しており、締付筒(53)を金具本体(52)のネジ筒(522)に螺合して締め付けると、該締付筒(53)の締付フランジ(530)と金具本体(52)で浴槽側壁(21)が挟圧され、これにより、浴槽金具(5)が浴槽側壁(21)に取り付けられる。締付筒(53)の締付フランジ(530)と反対側端部に位置する底板(531)には、既述熱源機(10)から引き出された往き管(12)と戻り管(13)が接続されていると共に、該往き管(12)及び戻り管(13)は、金具本体(52)のネジ筒(522)から中空円筒部(520)の内部に繋がっている。これにより、熱源機(10)で加熱された温水は、往き管(12)から金具本体(52)を通過してその先端の徐塵フィルタ(540)から浴槽(20)内に拡散する一方、浴槽(20)内の温水は徐塵フィルタ(540)を通過して金具本体(52)に流入し、その後、締付筒(53)から図示しない熱源機(10)に帰還して加熱される。これにより、浴槽(20)の温水が熱源機(10)で循環追焚きされる。
【００１９】
締付筒(53)の底板(531)の中央には、浴槽(20)に露出する洗浄ノズル(51)を螺入装着する為のノズル装着筒(532)が突設されており、該ノズル装着筒(532)は、金具本体(52)の中央筒(521)に挿入されるようになっている。前記底板(531)の中央外壁部には、前記洗浄ノズル(51)に洗剤を供給する洗浄配管(62)が接続されている。洗浄ノズル(51)の先端には、浴槽(20)を覆う浴槽蓋(26)の下面や浴槽側壁(21)に洗剤液を均一に噴射できる形状及び配列態様の噴出孔(510)(510)が形成されている。
このものでは、前述のように、ノズル装着筒(532)に洗浄ノズル(51)が着脱可能に螺入される構成であるから、噴出孔(510)(510)の形状及び配設態様が異なる複数種類の洗浄ノズル(51)(51)から、浴槽(20)の大きさ・形状に最も適した種類の洗浄ノズル(51)を選択して使用することができる。
【００２０】
そして、洗浄ユニット(3)は、浴槽側壁(21)に対して浴槽金具(5)と共締めされた支持板(37)に取り付けられるのであって、図３及び図４に示すように、浴槽側壁(21)に開設された金具取付孔(210)を貫通する金具本体(52)のネジ筒(522)に、支持板(37)の垂直辺部(371)に開設された透孔(370)部分が外嵌されていると共に、その外側から前記ネジ筒(522)に締付筒(53)が螺合されている。そして、締付筒(53)の締付フランジ(530)と浴槽側壁(21)で前記垂直辺部(371)が挟圧されており、これにより、浴槽側壁(21)に対して支持板(37)が共締めされされた状態に固定されている。
【００２１】
支持板(37)の下端から水平方向に屈曲する下辺部(372)には、洗浄ユニット(3)が図示しないビスで取り付けられている。
このものでは、浴槽金具(5)と共締めされた支持板(37)に洗浄ユニット(3)が取り付けられているから、洗浄ユニット(3)を取り付ける為の専用の取付孔を浴槽(20)の浴槽側壁(21)や浴槽フランジ(22)に開設する必要がない分、洗浄ユニット取付時の作業性が向上する。又、専用の取付孔や固定ネジの頭部が浴槽(20)の表面に露出しないから、浴槽(20)の外観が損なわれない。更に、前記専用の取付孔を浴槽側壁(21)に開設する場合は、入浴水が浴槽(20)外へ漏出するのを防止する為の防水構造を前記取付孔の開設部に施す必要があり、洗浄ユニット(3)の取付作業が煩雑化するが、本実施の形態では洗浄ユニット(3)を洗剤タンク(7)に取り付けるから、洗浄ユニット(3)の取り付け部に前記防水構造を施す必要がなく、かかる点からも、洗浄ユニット(3)の取付時の作業性が向上する。
【００２２】
《排水栓操作具及び排水栓等》
図１に示すように、浴槽フランジ(22)には、浴槽底壁(23)の排水栓(25)を電動で開閉させる排水栓駆動部(43a)を備えた排水栓操作具(43)が配設されている。又、排水栓操作具(43)の操作信号は洗浄ユニット(3)に組み込まれた洗浄ユニット制御装置(33)や、熱源機(10)内に組み込まれた図示しない制御装置に印加されている。
【００２３】
又、浴槽側壁(21)には、ジェットバス用の噴射ノズル(38)が配設されており、該噴射ノズル(38)はノズル頭部(382)とその基端部から突出する筒部(380)を備えている。そして、浴槽側壁(21)に開設したノズル取付孔(211)を貫通する筒部(380)に螺合させた締付ナット(381)と前記ノズル頭部(382)によって浴槽側壁(21)を挟圧し、これにより、噴射ノズル(38)を浴槽側壁(21)に固定している。
このものでは、熱源機(10)側から噴射ノズル(38)を介して浴槽(20)内に温水を噴出させ得るように構成されおり、これにより、好みに応じて浴槽(20)内をジェットバス状態にできるようにしている。
【００２４】
《動作》
次に、上記風呂システムの動作を説明する。
本実施の形態のものでは、排水栓操作具(43)が操作されると、排水栓駆動部(43a)が作動し、排水栓(25)が開弁されて排水が開始する。又、排水栓操作具(43)の操作信号が洗浄ユニット制御装置(33)及び熱源機(10)の制御装置（図示せず）に送信され、排水栓操作具(43)の操作後から所定時間が経過したとき(浴槽(20)の排水が完了した頃)に、洗浄ユニット(3)による浴槽(20)の洗浄動作が開始する。
【００２５】
この洗浄動作では、図２に示すように、「予備すすぎ」→「洗剤洗浄」→「待機」→「仕上げすすぎ」が順次行われ、最後に「銀イオン洗浄」が行われて洗浄動作が終了される。
予備すすぎ工程では、洗浄ユニット(3)の水量制御弁(61)が所定開度に設定されるとともに開閉弁(65)が開かれ、このときの通水を熱源機(10)が検出するとこれに内蔵されたガスバーナが燃焼して温水の加熱動作が開始する（Ｓ１０１）。すると、加熱された温水は出湯管(11)を介して洗浄ユニット(3)の洗浄配管(62)に送り込まれる。このとき、洗浄配管(62)には、水量制御弁(61)により制御された一定水量の温水が流され、また、洗剤弁(69)は閉じられているので、この温水のみが洗浄配管(62)の下流側に設けられた洗浄ノズル(51)から浴槽(20)の内壁面及び浴槽蓋(26)の下面に向けて噴射される。これにより、浴槽(20)の内壁面に付着している毛、湯垢等の汚れが予備的に洗い流される。この温水の噴射が所定時間（例えば、１分）行われると（Ｓ１０２）、予備すすぎ工程を終了して洗剤洗浄工程に移行される。
【００２６】
洗剤洗浄工程では、上記予備すすぎの状態から洗剤供給管(70)の洗剤弁(69)が開かれる（Ｓ１０３）。すると、洗浄配管(62)を流れる温水がベンチュリー構造の洗剤混合管(72)を通過する際に生じる負圧によって洗剤タンク(7)からの洗剤原液(A)が洗剤供給管(70)等を介して洗剤混合管(72)に注入され、温水に洗剤原液が混合されて洗剤液が生成される。そして、この洗剤液が洗浄ノズル(51)から浴槽(20)の内壁面及び浴槽蓋(26)の下面に向けて噴射される。これにより、浴槽(20)の内壁面及び浴槽蓋(26)の下面に付着している湯垢等の汚れが洗浄される。この洗剤液の噴射が所定時間（例えば、２分）行われると（Ｓ１０４）、洗浄ユニット(3)の洗剤弁(69)、開閉弁(65)を閉じて洗浄ノズル(51)からの洗剤液の噴射が停止され（Ｓ１０５）、洗剤洗浄工程が終了される。この洗剤洗浄工程が終了すると、待機工程に移行される。
【００２７】
待機工程では、洗浄ノズル(51)からの一切の噴射を停止し浴槽(20)の内壁面や浴槽蓋(26)の下面に洗剤液が付着した状態で、所定時間が経過するまで待機される（Ｓ１０６）。これにより、洗剤液が浴槽(20)の内壁面及び浴槽蓋(26)の下面に付着した湯垢等の汚れに浸透し、汚れを浮き上がらせて次の仕上げすすぎ工程で洗い流されやすくすることができる。この所定時間（例えば、３分）が経過すると（Ｓ１０６）、待機工程を終了して仕上げすすぎ工程に移行される。
【００２８】
仕上げすすぎ工程では、基本的には上述の予備すすぎ工程と同様に、洗浄ユニット(3)の開閉弁(65)が開かれて、熱源機(10)からの温水のみが洗浄配管(62)の下流側に設けられた洗浄ノズル(51)から浴槽(20)の内壁面及び浴槽蓋(26)の下面に向けて噴射される。これにより、浴槽(20)の内壁面及び浴槽蓋(26)の下面において洗剤液により浮き上がらされた湯垢等の汚れが洗剤液とともにきれいに洗い流される。この温水の噴射が所定時間（例えば、２分）行われると（Ｓ１０８）、洗浄ユニット(3)の開閉弁(65)を閉じて（Ｓ１０９）、洗浄ノズル(51)からの噴射を停止させ、仕上げすすぎ工程が終了される。
そして、以上の工程が終了すると、銀イオン洗浄が実行される。
【００２９】
銀イオン洗浄工程では、洗浄ユニット(3)の水量制御弁(61)が所定開度に設定されるとともに開閉弁(65)が開かれ、且つ銀イオン発生装置(63)が稼動される（Ｓ１１０）。尚、この銀イオン洗浄工程では、熱源機(10)の制御部に燃焼禁止信号を出力することにより、加熱されない水が出湯管(11)を介して洗浄ユニット(3)に送り込まれ、水量制御弁(61)により一定水量の水が洗浄配管(62)内に流される。このとき、洗浄配管(62)を流れる水には銀イオン発生装置(63)により発生させた銀イオンが混入される。すなわち、銀イオン発生装置(63)の一対の銀電極に通電してこの銀電極の電気分解により銀イオンを発生させ、これにより、洗浄配管(62)を流れる水が銀イオン発生装置(63)の筒体内を通過する間にこの水に対し銀イオンが溶解される。そして、この銀イオンを含んだ銀イオン水が洗浄ノズル(51)から浴槽(20)の内壁面や浴槽蓋(26)の下面に向けて噴射される。これにより、浴槽(20)の内壁面や浴槽蓋(26)の下面に銀イオンが付着される。従って、銀イオンの抗菌、除菌効果により、これらの場所での雑菌、カビなどの繁殖を防止することができる。
【００３０】
この銀イオン水の噴射が所定時間（例えば、２分）行われると（Ｓ１１１）、洗浄ユニット(3)の開閉弁(65)を閉じるとともに銀イオン発生装置(63)を稼動停止させて（Ｓ１１２）、洗浄ノズル(51)からの銀イオン水の噴射が停止され、銀イオン洗浄工程が終了される。この銀イオン洗浄工程の終了をもって浴槽洗浄動作が終了され、全洗浄工程の終了となる。
【００３１】
なお上記実施形態のものでは、浴槽金具(5)と共締めされた支持板(37)に洗浄ユニット(3)が取り付けられているが、浴槽金具(5)が浴槽側壁(21)の金具取付孔(210)から外方に突出した部分である締付筒(53)に、洗浄ユニット(3)をネジ等で直接固定してもよい（請求項１に係る発明）。この場合でも、洗浄ユニット(3)を取り付ける為の専用の取付孔を浴槽(20)の浴槽側壁(21)や浴槽フランジ(22)に開設する必要がない。
【符号の説明】
【００３２】
(3)・・・洗浄ユニット
(5)・・・浴槽金具
(7)・・・洗剤タンク
(10)・・・熱源機
(20)・・・浴槽
(21)・・・浴槽側壁
(22)・・・浴槽フランジ
(25)・・・排水栓
(37)・・・支持体
(38)・・・噴射ノズル
(43)・・・排水栓操作具
(51)・・・洗浄ノズル
(62)・・・洗浄配管 
(74)・・・洗剤補給筒
(210)・・・金具取付孔
(211)・・・ノズル取付孔
(220)・・・タンク取付孔
【図１】
2010264288.tif 000003
【図２】
2010264288.tif 000004
【図３】
2010264288.tif 000005
【図４】
2010264288.tif 000006
【図５】
2010264288.tif 000007